(57)【要約】  ＳＤＮを利用する通信システム１は、ＳＤＮ処理ノード１１０−１−１とＳＤＮ処理ノード１１０−２−２との間に設けられ、ＳＤＮ処理ノード１１０−１−１が受信したパケットデータを、当該パケットデータに付与されているＳＲ符号列に基づいてルーティングする、少なくとも１つのＳＲトランスポート装置１３０と、ＳＤＮ処理ノード１１０−１−１と少なくとも１つのＳＲトランスポート装置１３０との間に設けられ、ＳＤＮ処理ノード１１０−１−１が受信したパケットデータが少なくとも１つのＳＲトランスポート装置１３０を介してＳＤＮ処理ノード１１０−２−２に転送されるように、当該パケットデータにＳＲ符号列を付与する転送ノード１２０−１と、を備える。
2019044035.tif 000002
【特許請求の範囲】
【請求項１】
Ｓｏｆｔｗａｒｅ  Ｄｅｆｉｎｅｄ  Ｎｅｔｗｏｒｋ（ＳＤＮ）を利用する通信システムであって、
外部からパケットデータを受信する第１の処理ノードと、
前記第１の処理ノードが受信したパケットデータを外部へ送信する第２の処理ノードと、
前記第１の処理ノードと前記第２の処理ノードとの間に設けられ、前記第１の処理ノードが受信したパケットデータを、当該パケットデータに付与されているＳｏｕｒｃｅ  Ｒｏｕｔｉｎｇ（ＳＲ）符号列に基づいてルーティングする、少なくとも１つのトランスポート装置と、
前記第１の処理ノードと前記少なくとも１つのトランスポート装置との間に設けられ、前記第１の処理ノードが受信したパケットデータが前記少なくとも１つのトランスポート装置を介して前記第２の処理ノードに転送されるように、当該パケットデータにＳＲ符号列を付与する転送ノードと、
を備える、
通信システム。
【請求項２】
前記第１の処理ノード、前記第２の処理ノード及び前記少なくとも１つのトランスポート装置のトポロジに基づき、パケットデータを前記第１の処理ノードから前記第２の処理ノードへ転送するためのＳＲ符号列を記載したＳＲ変換表を作成する制御装置、を更に備え、
前記転送ノードは、前記制御装置が作成したＳＲ変換表を用いて、前記ＳＲ符号列を付与する、
請求項１に記載の通信システム。
【請求項３】
Ｓｏｆｔｗａｒｅ  Ｄｅｆｉｎｅｄ  Ｎｅｔｗｏｒｋ（ＳＤＮ）を利用する通信システムによって実行される制御方法であって、
前記通信システムは、
外部からパケットデータを受信する第１の処理ノードと、
前記第１の処理ノードが受信したパケットデータを外部へ送信する第２の処理ノードと、
前記第１の処理ノードと前記第２の処理ノードとの間に設けられた少なくとも１つのトランスポート装置と、
前記第１の処理ノードと前記少なくとも１つのトランスポート装置との間に設けられた転送ノードと、
を含み、
前記制御方法は、
前記転送ノードが前記第１の処理ノードが受信したパケットデータが前記少なくとも１つのトランスポート装置を介して前記第２の処理ノードに転送されるように、当該パケットデータにＳＲ符号列を付与するステップと、
前記少なくとも１つのトランスポート装置が、前記第１の処理ノードが受信したパケットデータを、前記付与するステップにおいてパケットデータに付与されたＳｏｕｒｃｅ  Ｒｏｕｔｉｎｇ（ＳＲ）符号列に基づいてルーティングするステップと、
を含む、
制御方法。
【請求項４】
Ｓｏｆｔｗａｒｅ  Ｄｅｆｉｎｅｄ  Ｎｅｔｗｏｒｋ（ＳＤＮ）を利用する通信システムであって、
外部からパケットデータを受信し、また、パケットデータを外部へ送信する複数の処理ノードと、
前記複数の処理ノードの間に設けられ、前記複数の処理ノードのうちの第１の処理ノードが受信したパケットデータを、当該パケットデータに付与されているＳｏｕｒｃｅ  Ｒｏｕｔｉｎｇ（ＳＲ）符号列に基づいてルーティングする、少なくとも１つのトランスポート装置と、
前記複数の処理ノードと前記少なくとも１つのトランスポート装置との間に設けられ、前記第１の処理ノードが受信したパケットデータが前記少なくとも１つのトランスポート装置を介して前記複数の処理ノードのうちの第２の処理ノードに転送されるように、当該パケットデータにＳＲ符号列を付与する転送ノードと、
を備え、
前記第１の処理ノードが受信するパケットデータのヘッダは、前記複数の処理ノードのうちの宛先の処理ノードを識別するための識別子情報を含み、
前記転送ノードは、前記識別子情報よって識別される処理ノードを前記第２の処理ノードとして、前記ＳＲ符号列を付与する、
通信システム。
【請求項５】
前記複数の処理ノード及び前記少なくとも１つのトランスポート装置のトポロジに基づき、前記複数の処理ノードのそれぞれを識別するための識別子情報ごとに、前記第１の処理ノードから前記第２の処理ノードへパケットデータを転送するためのＳＲ符号列を記載したＳＲ変換表を作成する制御装置、を更に備え、
前記転送ノードは、前記制御装置が作成したＳＲ変換表を用いて、前記ＳＲ符号列を付与する、
請求項４に記載の通信システム。
【請求項６】
Ｓｏｆｔｗａｒｅ  Ｄｅｆｉｎｅｄ  Ｎｅｔｗｏｒｋ（ＳＤＮ）を利用する通信システムによって実行される制御方法であって、
前記通信システムは、
複数の処理ノードが、外部からパケットデータを受信し、また、パケットデータを外部へ送信する複数の処理ノードと、
前記複数の処理ノードの間に設けられた少なくとも１つのトランスポート装置と、
前記複数の処理ノードと前記少なくとも１つのトランスポート装置との間に設けられた転送ノードと、
を含み、
前記制御方法は、
前記転送ノードが、前記複数の処理ノードのうちの第１の処理ノードが受信したパケットデータが前記少なくとも１つのトランスポート装置を介して前記複数の処理ノードのうちの第２の処理ノードに転送されるように、当該パケットデータにＳＲ符号列を付与するステップと、
前記少なくとも１つのトランスポート装置が、前記第１の処理ノードが受信したパケットデータを、前記付与するステップにおいてパケットデータに付与されたＳｏｕｒｃｅ  Ｒｏｕｔｉｎｇ（ＳＲ）符号列に基づいてルーティングするステップと、
を含む、
制御方法。
【発明の詳細な説明】
【技術分野】
【０００１】
本発明は、通信システム及び通信システムによって実行される制御方法に関する。
【背景技術】
【０００２】
近年、パケットデータの柔軟な転送が行えるＳｏｆｔｗａｒｅ  Ｄｅｆｉｎｅｄ  Ｎｅｔｗｏｒｋ（ＳＤＮ）を利用する通信システムが提案されている（例えば特許文献１参照）。
【先行技術文献】
【特許文献】
【０００３】
【特許文献１】特開２０１６−１５８２２５号公報
【非特許文献】
【０００４】
【非特許文献１】ONF（OPEN NETWORKING FOUNDATION） White Paper，“Software-Defined Networking: The New Norm for Networks”，April 13, 2012
【発明の概要】
【発明が解決しようとする課題】
【０００５】
ＳＤＮでは、処理ノードに到達したパケットデータが、トランスポート装置を経由して転送される。パケットデータの転送経路は、処理ノード及びトランスポート装置のトポロジ（つまりネットワーク構成）に基づいて作成されるＳＲ付与符号列を、パケットデータに付与することによって指定される。すなわち、ＳＲトランスポートネットワークが構成されて、パケットデータが転送される。この場合、ＳＤＮのネットワーク構成の管理及びＳＲ符号列付与の機能を各ＳＤＮ処理ノードに具備させると、各処理ノードの制御が複雑化する。そのため、ネットワーク構成の管理を各ＳＤＮ処理ノードが行わなくとも（つまりネットワーク構成が各ＳＤＮ処理ノードから隠蔽された状態でも）、ＳＲ符号列をパケットデータに付与できる手法が望まれる。このような手法について、従来は、具体的な検討がなされていない。【０００６】
本発明は、上記課題に鑑みてなされたものであり、ＳＤＮのネットワーク構成が各ＳＤＮ処理ノードから隠蔽された状態でＳＲ符号列をパケットデータに付与することが可能な通信システム及び制御方法を提供することを目的とする。
【課題を解決するための手段】
【０００７】
本発明の一態様に係る通信システムは、Ｓｏｆｔｗａｒｅ  Ｄｅｆｉｎｅｄ  Ｎｅｔｗｏｒｋ（ＳＤＮ）を利用する通信システムであって、外部からパケットデータを受信する第１の処理ノードと、第１の処理ノードが受信したパケットデータを外部へ送信する第２の処理ノードと、第１の処理ノードと第２の処理ノードとの間に設けられ、第１の処理ノードが受信したパケットデータを、当該パケットデータに付与されているＳｏｕｒｃｅ  Ｒｏｕｔｉｎｇ（ＳＲ）符号列に基づいてルーティングする、少なくとも１つのトランスポート装置と、第１の処理ノードと少なくとも１つのトランスポート装置との間に設けられ、第１の処理ノードが受信したパケットデータが少なくとも１つのトランスポート装置を介して第２の処理ノードに転送されるように、当該パケットデータにＳＲ符号列を付与する転送ノードと、を備える。【０００８】
上記の通信システムでは、処理ノードとは別に設けられた要素である転送ノードが、第１の処理ノードから第２の処理ノードにパケットデータが転送されるように、当該パケットデータにＳＲ符号列を付与する。したがって、ネットワーク構成の管理を各処理ノードが行わなくとも（つまりネットワーク構成が各処理ノードから隠蔽された状態でも）、ＳＲ符号列をパケットデータに付与することができる。【０００９】
本発明の一態様に係る制御方法は、ＳＤＮを利用する通信システムによって実行される制御方法であって、通信システムは、外部からパケットデータを受信する第１の処理ノードと、第１の処理ノードが受信したパケットデータを外部へ送信する第２の処理ノードと、第１の処理ノードと第２の処理ノードとの間に設けられた少なくとも１つのトランスポート装置と、第１の処理ノードと少なくとも１つのトランスポート装置との間に設けられた転送ノードと、を含み、制御方法は、転送ノードが第１の処理ノードが受信したパケットデータが少なくとも１つのトランスポート装置を介して第２の処理ノードに転送されるように、当該パケットデータにＳＲ符号列を付与するステップと、少なくとも１つのトランスポート装置が、第１の処理ノードが受信したパケットデータを、付与するステップにおいてパケットデータに付与されたＳＲ符号列に基づいてルーティングするステップと、を含む。【００１０】
上記の制御方法によっても、ネットワーク構成が各処理ノードから隠蔽された状態で、ＳＲ符号列をパケットデータに付与することができる。【００１１】
本発明の一態様に係る通信システムは、ＳＤＮを利用する通信システムであって、外部からパケットデータを受信し、また、パケットデータを外部へ送信する複数の処理ノードと、複数の処理ノードの間に設けられ、複数の処理ノードのうちの第１の処理ノードが受信したパケットデータを、当該パケットデータに付与されているＳＲ符号列に基づいてルーティングする、少なくとも１つのトランスポート装置と、複数の処理ノードと少なくとも１つのトランスポート装置との間に設けられ、第１の処理ノードが受信したパケットデータが少なくとも１つのトランスポート装置を介して複数の処理ノードのうちの第２の処理ノードに転送されるように、当該パケットデータにＳＲ符号列を付与する転送ノードと、を備え、第１の処理ノードが受信するパケットデータのヘッダは、複数の処理ノードのうちの宛先の処理ノードを識別するための識別子情報を含み、転送ノードは、識別子情報よって識別される処理ノードを第２の処理ノードとして、ＳＲ符号列を付与する。【００１２】
上記の通信システムでも、処理ノードとは別に設けられた要素である転送ノードが、第１の処理ノードから第２の処理ノードにパケットデータが転送されるように、当該パケットデータにＳＲ符号列を付与する。したがって、ネットワーク構成の管理を各処理ノードが行わなくとも（つまりネットワーク構成が各処理ノードから隠蔽された状態でも）、ＳＲ符号列をパケットデータに付与することができる。【００１３】
本発明の一態様に係る制御方法は、ＳＤＮを利用する通信システムによって実行される制御方法であって、通信システムは、複数の処理ノードが、外部からパケットデータを受信し、また、パケットデータを外部へ送信する複数の処理ノードと、複数の処理ノードの間に設けられた少なくとも１つのトランスポート装置と、複数の処理ノードと少なくとも１つのトランスポート装置との間に設けられた転送ノードと、を含み、制御方法は、転送ノードが、複数の処理ノードのうちの第１の処理ノードが受信したパケットデータが少なくとも１つのトランスポート装置を介して複数の処理ノードのうちの第２の処理ノードに転送されるように、当該パケットデータにＳＲ符号列を付与するステップと、少なくとも１つのトランスポート装置が、第１の処理ノードが受信したパケットデータを、付与するステップにおいてパケットデータに付与されたＳＲ符号列に基づいてルーティングするステップと、を含む。【００１４】
上記の制御方法によっても、ネットワーク構成が各処理ノードから隠蔽された状態で、ＳＲ符号列をパケットデータに付与することができる。
【発明の効果】
【００１５】
本発明の一態様によれば、ＳＤＮのネットワーク構成が各ＳＤＮ処理ノードから隠蔽された状態でＳＲ符号列をパケットデータに付与することが可能になる。
【図面の簡単な説明】
【００１６】
【図１】通信システムの概略構成を示す図である。
【図２】ＳＤＮ処理ノードの機能ブロックの例を示す図である。
【図３】転送ノードの機能ブロックの例を示す図である。
【図４】転送ノードのＳＲ変換表の例を示す図である。
【図５】ＳＲトランスポート装置の機能ブロックの例を示す図である。
【図６】制御装置の機能ブロックの例を示す図である。
【図７】制御装置のＳＲ変換表の例を示す図である。
【図８】制御装置のトポロジＤＢの例を示す図である。
【図９】制御装置によって実行される処理の例を示すフローチャートである。
【図１０】転送されるパケットデータの例を示す図である。
【図１１】転送ノードの機能ブロックの例を示す図である。
【図１２】転送ノードのＳＲ変換表の例を示す図である。
【図１３】制御装置の機能ブロックの例を示す図である。
【図１４】制御装置のＳＲ変換表の例を示す図である。
【図１５】ＳＤＮ処理ノードインタフェース識別子情報ＤＢ１５５の例を示す図である。
【図１６】制御装置によって実行される処理の例を示すフローチャートである。
【図１７】転送されるパケットデータの例を示す図である。
【図１８】ハードウェア構成の例を示す図である。
【発明を実施するための形態】
【００１７】
以下、本発明の実施形態について、図面を参照しながら説明する。なお、図面の説明において同一要素には同一符号を付し、重複する説明は省略する。
【００１８】
［第１実施形態］
図１は、実施形態に係る通信システムの概略構成を示す図である。通信システム１は、ＳＤＮ（Ｓｏｆｔｗａｒｅ  Ｄｅｆｉｎｅｄ  Ｎｅｔｗｏｒｋ）１４０を利用する通信システムである。このＳＤＮ１４０は、パケットデータに付与されたＳＲ符号列に基づいてパケットデータを転送するＳＲトランスポートネットワークである。通信システム１は、ＳＤＮ処理ノード１１０と、転送ノード１２０と、ＳＲトランスポート装置１３０と、制御装置１５０とを含む。通信システム１が利用するＳＤＮ１４０は、例えば、ＳＤＮ処理ノード１１０、転送ノード１２０及びＳＲトランスポート装置１３０を含んで構成される。その場合、転送ノード１２０及びＳＲトランスポート装置１３０は、ＳＲトランスポートネットワークの構成要素である。
【００１９】
図１に示される例では、ＳＤＮ１４０は、４つのＳＤＮ処理ノード１１０と、２つの転送ノード１２０と、３つのＳＲトランスポート装置１３０とを含む。図１において、各ＳＤＮ処理ノード１１０を区別できるように、１１０−１−１、１１０−１−２、１１０−２−１及び１１０−２−２の異なる符号を付している。各転送ノード１２０を区別できるように、１２０−１及び１２０−２の異なる符号を付している。各ＳＲトランスポート装置１３０を区別できるように、１３０−３、１３０−４及び１３０−５の異なる符号を付している。
【００２０】
ＳＤＮ処理ノード１１０、転送ノード１２０及びＳＲトランスポート装置１３０の各々は、インタフェースを介して接続され得る。図１において、各要素のインタフェースが白丸で例示される。ＳＤＮ１４０において、各インタフェースにはＳＲ符号が割り当てられ、いくつかのＳＲ符号は図示される。例えば、ＳＤＮ処理ノード１１０−１−１のインタフェースのうち、転送ノード１２０−１とのインタフェースには、ＳＲ符号ＶＩＦ１−１が割り当てられる。この他のインタフェースに割り当てられるＳＲ符号についても、図１に示されるとおりである。
【００２１】
ＳＤＮ処理ノード１１０について説明する。ＳＤＮ処理ノード１１０は、ＳＤＮ１４０の外部との間でパケットデータの送受信を行うことが可能なノードである。例えば、ＳＤＮ処理ノード１１０−１−１は、外部からパケットデータを受信する処理ノード（第１のＳＤＮ処理ノード）であってよい。その場合、ＳＤＮ処理ノード１１０−１−１以外のＳＤＮ処理ノード１１０（１１０−１−２、１１０−２−１、１１０−２−２）は、ＳＤＮ処理ノード１１０−１−１が受信したパケットをＳＤＮ１４０の外部へ送信する処理ノード（第２のＳＤＮ処理ノード）であってよい。
【００２２】
図２は、ＳＤＮ処理ノード１１０の機能ブロックの例を示す図である。ＳＤＮ処理ノード１１０は、ＳＤＮ転送処理部１１１と、複数のインタフェース１１２とを含む。
【００２３】
ＳＤＮ転送処理部１１１は、ＳＤＮ１４０におけるパケットデータの転送処理を実行する部分である。ＳＤＮ転送処理部１１１は、例えば非特許文献１に記載されるデータパケットの柔軟な転送を実現する転送方式を備えていてよい。
【００２４】
インタフェース１１２は、パケットデータの入出力が可能な複数のインタフェースである。上述のように、インタフェースにはＳＲ符号が割り当てられる。例えばＳＤＮ処理ノード１１０が図１のＳＤＮ処理ノード１１０−１−１である場合、複数のインタフェース１１２のうち、転送ノード１２０−１とのインタフェースに、ＳＲ符号ＶＩＦ１−１が割り当てられる。なお、いくつかのインタフェース１１２は、ＳＤＮ１４０の外部の要素（例えば外部ネットワークのインタフェース）とのインタフェースであってもよい。
【００２５】
図１に戻り、転送ノード１２０について説明する。転送ノード１２０は、複数のＳＤＮ処理ノード１１０と、ＳＲトランスポート装置１３０との間に設けられる。転送ノード１２０は、ＳＤＮ処理ノード１１０及び制御装置１５０とは別の要素として設けられる。転送ノード１２０は、複数のＳＤＮ処理ノード１１０のうち、パケットデータを受信したＳＤＮ処理ノード１１０（例えばＳＤＮ処理ノード１１０−１−１）が受信したパケットデータが少なくとも１つのＳＲトランスポート装置１３０を介して別のＳＤＮ処理ノード１１０（例えばＳＤＮ処理ノード１１０−２−２）に転送されるように、当該パケットデータにＳＲ符号列を付与する。
【００２６】
図３は、転送ノード１２０の機能ブロックの例を示す図である。転送ノード１２０は、ＳＲ変換表１２１と、ＳＲ変換処理部１２２と、ＳＲ転送処理部１２３と、制御通信部１２４と、複数のインタフェース１２５とを含む。
【００２７】
ＳＲ変換表１２１は、インタフェース１２５に入力されたパケットデータに付与すべきＳＲ符号列を記憶する。ＳＲ符号列は、例えば、パケットデータが通る順に、図１に示される各インタフェースに割り当てられたＳＲ符号を記述したものである。
【００２８】
図４を参照して、ＳＲ変換表１２１の例を説明する。ＳＲ変換表１２１のエントリには、入力インタフェースと、ＳＲ符号列との組が記録される。入力インタフェースは、パケットデータが入力されるインタフェース１２５を意味する。図４の例では、複数のインタフェース１２５のうち、２つのインタフェースが、それぞれのインタフェースに割り当てられたＳＲ符号「ＶＩＦ１−３」及び「ＶＩＦ１−４」で示される。入力インタフェース「ＶＩＦ１−３」に対しては、ＳＲ符号列「ＶＩＦ１−５、ＩＦ３−３、ＩＦ５−２、ＩＦ４−１、ＶＩＦ２−４」が対応付けられる。入力インタフェース「ＶＩＦ１−４」に対しては、ＳＲ符号列「ＶＩＦ１−５、ＩＦ３−２、ＩＦ４−１、ＶＩＦ２−３」が対応付けられる。
【００２９】
なお、ＳＲ変換表１２１は、後述するように、制御装置１５０によって作成される。
【００３０】
図３に戻り、ＳＲ変換処理部１２２は、上述のＳＲ変換表１２１を用いて、パケットデータが入力された入力インタフェースに対応するＳＲ符号列を、入力されたパケットデータに付与する。
【００３１】
ＳＲ転送処理部１２３は、複数のインタフェース１２５のうちのいずれかのインタフェースに入力されたパケットデータを、他のインタフェースから出力する（ルーティングする）。具体的に、ＳＲ転送処理部１２３は、パケットデータ（のヘッダの前）に付与されているＳＲ符号列中のＳＲ符号（例えば先頭のＳＲ符号）を読み出して取り去り、読み出したＳＲ符号と一致するＳＲ符号が割り当てられたインタフェースから、パケットデータを出力する。
【００３２】
制御通信部１２４は、制御信号の送受信を行う部分である。制御通信部１２４は、例えば制御装置１５０（図１）との間で、制御信号の送受信を行うことができる。
【００３３】
インタフェース１２５は、パケットデータの入出力が可能な複数のインタフェースである。上述のように、インタフェースにはＳＲ符号が割り当てられる。例えば転送ノード１２０が図１の転送ノード１２０−１である場合、複数のインタフェース１２５のうち、ＳＤＮ処理ノード１１０−１−１とのインタフェースに、ＳＲ符号ＶＩＦ１−３が割り当てられる。
【００３４】
図１に戻り、ＳＲトランスポート装置１３０について説明する。ＳＲトランスポート装置１３０は、複数のＳＤＮ処理ノード１１０の間（第１の処理ノード及び第２の処理ノードの間）に設けられる。ＳＲトランスポート装置１３０は、複数のＳＤＮ処理ノード１１０のうち、パケットデータを受信したＳＤＮ処理ノード１１０（例えばＳＤＮ処理ノード１１０−１−１）が受信したパケットデータを、当該パケットデータに付与されているＳＲ符号列に基づいてルーティングする。
【００３５】
図５は、ＳＲトランスポート装置１３０の機能ブロックを示す図である。ＳＲトランスポート装置１３０は、ＳＲ転送処理部１３１と、複数のインタフェース１３２とを含む。
【００３６】
ＳＲ転送処理部１３１は、先に図３を参照して説明したＳＲ転送処理部１２３と同様に、複数のインタフェース１３２のうちのいずれかのインタフェースに入力されたパケットデータを、他のインタフェースから出力する（ルーティングする）。すなわち、ＳＲ転送処理部１３１は、パケットデータのヘッダに付与されている符号列中のＳＲ符号を読み出して取り去り、読み出したＳＲ符号と一致するＳＲ符号が割り当てられたインタフェースから、データパケットを出力する。
【００３７】
インタフェース１３２は、パケットデータの入出力が可能な複数のインタフェースである。上述のように、インタフェースにはＳＲ符号が割り当てられる。例えばＳＲトランスポート装置１３０が図１のＳＲトランスポート装置１３０−３である場合、複数のインタフェース１３２のうち、転送ノード１２０−１とのインタフェースに、ＳＲ符号ＩＦ３−１が割り当てられる。なお、いくつかのインタフェース１３２は、ＳＤＮ１４０の外部の要素（例えば外部ネットワークのインタフェース）とのインタフェースであってもよい。
【００３８】
図１に戻り、制御装置１５０について説明する。制御装置１５０は、ＳＤＮ１４０のトポロジに基づき、ＳＲ変換表を作成する。なお、制御装置１５０は、ＳＤＮコントローラの機能を有していてもよい。
【００３９】
図６は、制御装置１５０の機能ブロックの例を示す図である。制御装置１５０は、ＳＲ変換表１５１と、トポロジＤＢ１５２と、ＳＲ変換表作成部１５３と、制御通信部１５４とを含む。
【００４０】
ＳＲ変換表１５１は、各転送ノード１２０について、インタフェース１２５に入力されたパケットデータに付与すべきＳＲ符号列を記憶する。具体的に、ＳＲ変換表１５１は、パケットデータを受信したＳＤＮ処理ノード１１０（例えばＳＤＮ処理ノード１１０−１−１）から別のＳＤＮ処理ノード１１０（例えばＳＤＮ処理ノード１１０−２−２）にパケットデータを転送するためのＳＲ符号列を記載する。
【００４１】
図７を参照して、ＳＲ変換表１５１の例を説明する。ＳＲ変換表１５１のエントリには、当該エントリが適用される転送ノード１２０の転送ノード名と、当該転送ノードの入力インタフェースと、ＳＲ符号列との組が記録される。ここでは、入力インタフェースはＳＲ符号で示される。図７の例では、２つの転送ノード１２０−１及び転送ノード１２０−２（図１）が示される。転送ノード１２０−１の入力インタフェース「ＶＩＦ１−３」に対して、ＳＲ符号列「ＶＩＦ１−５、ＩＦ３−３、ＩＦ５−２、ＩＦ４−１、ＶＩＦ２−４」が対応付けられる。転送ノード１２０−１の入力インタフェース「ＶＩＦ１−４」に対して、ＳＲ符号列「ＶＩＦ１−５、ＩＦ３−２、ＩＦ４−１、ＶＩＦ２−３」が対応付けられる。転送ノード１２０−２の入力インタフェース「ＶＩＦ２−３」に対して、ＳＲ符号列「ＶＩＦ２−５、ＩＦ４−２、ＩＦ３−１、ＩＦ１−４」が対応付けられる。転送ノード１２０−２の入力インタフェース「ＶＩＦ２−４」に対して、ＳＲ符号列「ＶＩＦ２−５、ＩＦ４−３、ＩＦ５−１、ＩＦ３−１、ＶＩＦ１−３」が対応付けられる。
【００４２】
図６に戻り、トポロジＤＢ１５２は、ＳＲトランスポートネットワークの構成、すなわち、ＳＤＮ処理ノード１１０及びＳＲトランスポート装置１３０によって構成されるＳＤＮ１４０のトポロジを記憶する。トポロジＤＢ１５２は、例えば通信システム１の管理者によって作成（登録）されてよい。
【００４３】
図８を参照して、トポロジＤＢ１５２の例を説明する。トポロジＤＢ１５２のエントリには、ノード名／装置名及びインタフェースからなる組の２つの並びによって、ノード/装置のインタフェース間の接続関係が記録される。この例では、各インタフェース間の接続関係は、図１に示される接続関係に対応している。
【００４４】
図６に戻り、ＳＲ変換表作成部１５３は、トポロジＤＢ１５２に基づき、上述のＳＲ変換表１５１を作成する。ＳＲ変換表作成部１５３によるＳＲ変換表１５１の作成については、後に図９を参照して説明する。
【００４５】
制御通信部１５４は、制御信号の送受信を行う部分である。制御通信部１５４は、例えば転送ノード１２０（図１）との間で、制御信号の送受信を行うことができる。
【００４６】
次に、図９及び図１０を参照して、通信システム１の動作の例を説明する。
【００４７】
図９は、制御装置１５０によって実行される処理の例を示すフローチャートである。この例では、２つのＳＤＮ処理ノード１１０間をＳＲトランスポートネットワークによって接続する場合の、ＳＲ変換表作成部１５３によるＳＲ変換表１５１の作成手順が説明される。
【００４８】
ステップＦ１１では、オペレータから、ＳＲトランスポートネットワーク（ＳＤＮ１４０）で接続する二つのＳＤＮ処理ノード１１０が、制御装置１５０に指定される。オペレータは、例えば通信システム１の管理者である。
【００４９】
ステップＦ１２では、ＳＲ変換表作成部１５３が、トポロジＤＢ１５２を用いて、先のステップＦ１１で指定された二つのＳＤＮ処理ノード１１０間の経路となるインタフェースの列を計算する。
【００５０】
ステップＦ１３では、ＳＲ変換表作成部１５３が、先のステップＦ１２で計算したインタフェースの列を、ＳＲ符号列に置き換える。すなわち、インタフェースの列に示される各インタフェースを、それらのインタフェースに割り当てられたＳＲ符号に置き換える。
【００５１】
ステップＦ１４では、ＳＲ変換表作成部１５３が、先のステップＦ１１で指定された各ＳＤＮ処理ノード１１０と接続される転送ノード１２０のインタフェースと、ＳＲ符号列との対応関係をＳＲ変換表１５１に記録する。これにより、ＳＲ変換表１５１が作成される。
【００５２】
ステップＦ１５では、制御通信部１５４が、各ＳＤＮ処理ノード１１０と接続する転送ノード１２０に、ＳＲ変換表１５１に記録された情報を送信する。これにより、転送ノード１２０はＳＲ変換表１２１を有することができる。すなわち、転送ノード１２０は、ＳＲ変換表作成部１５３によって作成されたＳＲ変換表を用いてＳＲ符号列の付与を行うことができる。
【００５３】
図１０は、図９を参照して説明したような処理によって作成されたＳＲ変換表を用いて通信システム１において転送されるパケットデータ及びパケットデータに格納される情報の例を示す図である。
【００５４】
図１０に示される例では、パケットデータは、ＳＤＮ処理ノード１１０−１−１と、転送ノード１２０−１のＳＲ変換処理部１２２及びＳＲ転送処理部１２３と、ＳＲトランスポート装置１３０−３と、ＳＲトランスポート装置１３０−５と、ＳＲトランスポート装置１３０―４と、転送ノード１２０−２のＳＲ変換処理部１２２及びＳＲ転送処理部１２３と、ＳＤＮ処理ノード１１０−２−２とを、この順に通過する経路を通る。以下、具体的に、パケットデータの転送手順（転送に関するステップ）について説明する。
【００５５】
ＳＤＮ処理ノード１１０−１−１から転送ノード１２０−１のＳＲ変換処理部１２２への区間におけるパケットデータが、パケットＰ１−１として示される。パケットＰ−１は、ヘッダ及びデータを含む。転送ノード１２０−１のＳＲ変換処理部１２２では、ＳＲ変換表１２１（図４）を基に、入力インタフェースが「ＶＩＦ１−３」であることから、ＳＲ符号列「ＶＩＦ１−５、ＩＦ３−３、ＩＦ５−２、ＩＦ４−１、ＶＩＦ２−４」をパケットデータに付与する。このように付与されたＳＲ符号列に基づいて、パケットデータが転送される。
【００５６】
転送ノード１２０−１のＳＲ変換処理部１２２からＳＲ転送処理部１２３への区間におけるパケットデータが、パケットＰ１−２として示される。パケットＰ１−２は、ヘッダの前に、上述のようにＳＲ変換処理部１２２によって付与されたＳＲ符号列「ＶＩＦ１−５、ＩＦ３−３、ＩＦ５−２、ＩＦ４−１、ＶＩＦ２−４」を含む。ＳＲ符号列の先頭のＳＲ符号が「ＶＩＦ１−５」であるので、ＳＲ転送処理部１２３は、転送ノード１２０−１が有する複数のインタフェース１２５のうち、ＳＲ符号「ＶＩＦ１−５」が割り当てられたインタフェースから、パケットデータを出力する。この場合、トポロジＤＢ１５２（図８）等からも理解されるように、パケットデータは、ＳＲトランスポート装置１３０−３へ転送される。その際、転送ノード１２０−１のＳＲ転送処理部１２３は、先頭のＳＲ符号「ＶＩＦ１−５」を取り去る。
【００５７】
転送ノード１２０−１のＳＲ転送処理部１２３からＳＲトランスポート装置１３０−３への区間におけるパケットデータが、パケットＰ１−３として示される。パケットＰ１−３のＳＲ符号列は、「ＩＦ３−３、ＩＦ５−２、ＩＦ４−１、ＶＩＦ２−４」である。ＳＲ符号列の先頭のＳＲ符号が「ＩＦ３−３」であるので、ＳＲトランスポート装置１３０−３のＳＲ転送処理部１３１は、ＳＲトランスポート装置１３０−３が有する複数のインタフェース１３２のうち、ＳＲ符号「ＩＦ３−３」が割り当てられたインタフェースから、パケットデータを出力する。この場合、パケットデータは、ＳＲトランスポート装置１３０−５へ転送される。その際、転送ノード１２０−１のＳＲ転送処理部１２３は、先頭のＳＲ符号「ＩＦ３−３」を取り去る。
【００５８】
ＳＲトランスポート装置１３０−３からＳＲトランスポート装置１３０−５への区間におけるパケットデータが、パケットＰ１−４として示される。パケットＰ１−４のＳＲ符号列は、「ＩＦ５−２、ＩＦ４−１、ＶＩＦ２−４」である。ＳＲ符号列の先頭のＳＲ符号が「ＩＦ５−２」であるので、ＳＲトランスポート装置１３０−５のＳＲ転送処理部１３１は、ＳＲトランスポート装置１３０−５が有する複数のインタフェース１３２のうち、ＳＲ符号「ＩＦ５−２」が割り当てられたインタフェースから、パケットデータを出力する。この場合、パケットデータは、ＳＲトランスポート装置１３０−４へ転送される。その際、ＳＲトランスポート装置１３０−５のＳＲ転送処理部１３１は、先頭のＳＲ符号「ＩＦ５−２」を取り去る。
【００５９】
ＳＲトランスポート装置１３０−５からＳＲトランスポート装置１３０−４への区間におけるパケットデータが、パケットＰ１−５として示される。パケットＰ１−５のＳＲ符号列は、「ＩＦ４−１、ＶＩＦ２−４」である。ＳＲ符号列の先頭のＳＲ符号が「ＩＦ４−１」であるので、ＳＲトランスポート装置１３０−４のＳＲ転送処理部１３１は、ＳＲトランスポート装置１３０−４が有する複数のインタフェース１３２のうち、ＳＲ符号「ＩＦ４−１」が割り当てられたインタフェースから、パケットデータを出力する。この場合、パケットデータは、転送ノード１２０−２へ転送される。その際、ＳＲトランスポート装置１３０−４のＳＲ転送処理部１３１は、先頭のＳＲ符号「ＩＦ４−１」を取り去る。
【００６０】
ＳＲトランスポート装置１３０−４から転送ノード１２０−２のＳＲ変換処理部１２２への区間におけるパケットデータが、パケットＰ１−６として示される。パケットＰ１−６のＳＲ符号列は、「ＶＩＦ２−４」である。ＳＲ符号列の先頭のＳＲ符号が「ＶＩＦ２−４」であるので、転送ノード１２０−２のＳＲ変換処理部１２２は、転送ノード１２０−２が有する複数のインタフェース１２５のうち、ＳＲ符号「ＶＩＦ２−４」が割り当てられたインタフェースから、パケットデータを出力する。この場合、パケットデータは、ＳＤＮ処理ノード１１０−２−２へ転送される。その際、転送ノード１２０−２のＳＲ変換処理部１２２は、先頭のＳＲ符号「ＶＩＦ２−４」を取り去るので、パケットデータはパケットＰ１−１に戻る。
【００６１】
以上のようにして、パケットデータが転送される。なお、上記では、ＳＤＮ処理ノード１１０−１−１からＳＤＮ処理ノード１１０−２−２へパケットデータが転送される際に、ＳＤＮ処理ノード１１０−１−１と各ＳＲトランスポート装置１３０との間に設けられた転送ノード１２０−１によってＳＲ符号列が付与される例を説明した。逆に、ＳＤＮ処理ノード１１０−２−２からＳＤＮ処理ノード１１０−１−１へパケットデータが転送される場合には、ＳＤＮ処理ノード１１０−２−２と各ＳＲトランスポート装置１３０との間に設けられた転送ノード１２０−２によってＳＲ符号列が付与されることは理解されるであろう。
【００６２】
以上説明した第１実施形態に係る通信システム１は、外部からパケットデータを受信する第１のＳＤＮ処理ノード１１０（例えばＳＤＮ処理ノード１１０−１−１）と、第１のＳＤＮ処理ノード１１０が受信したパケットデータを外部へ送信する第２の処理ノード１１０（例えばＳＤＮ処理ノード１１０−２−２）と、第１のＳＤＮ処理ノード１１０と第２のＳＤＮ処理ノード１１０との間に設けられ、第１のＳＤＮ処理ノード１１０が受信したパケットデータを、当該パケットデータに付与されているＳＲ符号列に基づいてルーティングする、少なくとも１つのＳＲトランスポート装置１３０と、第１のＳＤＮ処理ノード１１０と少なくとも１つのトランスポート装置との間に設けられ、第１のＳＤＮ処理ノード１１０が受信したパケットデータが少なくとも１つのトランスポート装置を介して第２のＳＤＮ処理ノード１１０に転送されるように、当該パケットデータにＳＲ符号列を付与する転送ノード１２０（例えば転送ノード１２０−１）と、を備える。
【００６３】
上記の通信システム１では、ＳＤＮ処理ノード１１０とは別に設けられた要素である転送ノード１２０（例えば転送ノード１２０−１）が、第１のＳＤＮ処理ノード１１０（例えばＳＤＮ処理ノード１１０−１−１）から第２のＳＤＮ処理ノード１１０（例えばＳＤＮ処理ノード１１０−２−２）にパケットデータが転送されるように、当該パケットデータにＳＲ符号列を付与する。したがって、ＳＤＮ１４０のネットワーク構成の管理を各ＳＤＮ処理ノード１１０が行わなくとも、すなわちネットワーク構成が各ＳＤＮ処理ノード１１０から隠蔽された状態でも、ＳＲ符号列をパケットデータに付与することができる。
【００６４】
通信システム１では、制御装置１５０のＳＲ変換表作成部１５３が、第１のＳＤＮ処理ノード１１０（例えばＳＤＮ処理ノード１１０−１−１）、第２のＳＤＮ処理ノード１１０（例えばＳＤＮ処理ノード１１０−２−２）及び少なくとも１つのＳＲトランスポート装置１３０のトポロジに基づき、パケットデータを第１のＳＤＮ処理ノード１１０から第２のＳＤＮ処理ノード１１０へ転送するためのＳＲ符号列を記載したＳＲ変換表１５１を作成してもよい。転送ノード１２０（例えば転送ノード１２０−１）は、制御装置１５０のＳＲ変換表作成部１５３が作成したＳＲ変換表を用いて（制御装置１５０から送られる情報に基づいて得られたＳＲ変換表１２１を用いて）、ＳＲ符号列を付与してもよい。このように制御装置１５０が作成したＳＲ変換表を利用することによって、転送ノード１２０においては、ＳＤＮ１４０のネットワーク構成の管理を行わずに、ＳＲ符号列をパケットデータに付与することができる。
【００６５】
また、上記の通信システム１によって実行される制御方法では、転送ノード１２０（例えば転送ノード１２０−１）が第１のＳＤＮ処理ノード１１０（例えばＳＤＮ処理ノード１１０−１−１）が受信したパケットデータが少なくとも１つのＳＲトランスポート装置１３０を介して第２のＳＤＮ処理ノード１１０（例えばＳＤＮ処理ノード１１０−２−２）に転送されるように、当該パケットデータにＳＲ符号列を付与する（例えば図１０のパケットＰ１−２に関するステップ）。そして、少なくとも１つのＳＲトランスポート装置１３０が、第１のＳＤＮ処理ノード１１０が受信したパケットデータを、上述のようにパケットデータに付与されたＳＲ符号列に基づいてルーティングする（例えば図１０のパケットＰ１−４、Ｐ１−５及びＰ１−６に関するステップ）。このような制御方法によっても、ネットワーク構成が各ＳＤＮ処理ノード１１０から隠蔽された状態で、ＳＲ符号列をパケットデータに付与することができる。
【００６６】
［第２実施形態］
これまで説明した第１実施形態、より具体的には図９及び図１０に示される形態のように２つのＳＤＮ処理ノード１１０間をＳＲトランスポートネットワークによって接続する場合には、宛先のインタフェースを指定する必要はない。これに対し、次に説明する第２実施形態では、２つよりも多いＳＤＮ処理ノード１１０間をＳＲトランスポートネットワークによって接続する。２つよりも多いＳＤＮ処理ノード１１０を接続する場合には、宛先のインタフェースを指定してどのＳＤＮ処理ノード１１０に向かってパケットデータを送っているのかを指定し、その宛先に基づいてパケットデータの転送先を決定する必要がある。
【００６７】
以下では、とくに、第２実施形態のうち第１実施形態と相違する部分について説明する。なお、第２実施形態に係る通信システムの全体構成は図１に示される通信システム１と同様であるので、第２実施形態に係る通信システムも、通信システム１と称する。
【００６８】
第２実施形態は、第１実施形態と比較して、転送ノードのＳＲ変換表が相違する。図１１は、そのような第２実施形態に係る転送ノード１２０Ａの機能ブロックの例を示す。転送ノード１２０Ａは、転送ノード１２０（図３）と比較して、ＳＲ変換表１２１に代えてＳＲ変換表１２１Ａを有する点において相違する。
【００６９】
図１２を参照して、ＳＲ変換表１２１Ａの例を説明する。ＳＲ変換表１２１Ａのエントリには、入力インタフェースと、宛先ＳＤＮ処理ノードのインタフェース識別子情報と、ＳＲ符号列との組が記録される。この例では、宛先ＳＤＮ処理ノードのインタフェース識別子情報として、ＭＡＣアドレスが用いられる。例えば同じ入力インタフェース「ＶＩＦ１−３」に対して、異なるＭＡＣアドレス「ＭＡＣ１−２」、「ＭＡＣ２−１」及び「ＭＡＣ２−２」が組み合わされることによって、異なるＳＲ符号列「ＶＩＦ１−２」、「ＶＩＦ１−５、ＩＦ３−２、ＩＦ４−１、ＶＩＦ２−３」及び「ＶＩＦ１−５、ＩＦ３−３、ＩＦ５−２、ＩＦ４−１、ＶＩＦ２−４」が対応付けられる。
【００７０】
また、第２実施形態は、第１実施形態と比較して、制御装置の機能ブロックが相違する。図１３は、そのような第２実施形態に係る制御装置１５０Ａの機能ブロックの例を示す。制御装置１５０Ａは、制御装置１５０（図６）と比較して、ＳＲ変換表１５１及びＳＲ変換表作成部１５３に代えてＳＲ変換表１５１Ａ及びＳＲ変換表作成部１５３Ａを有する点、並びに、ＳＤＮ処理ノードインタフェース識別子情報ＤＢ１５５を更に有する点において相違する。
【００７１】
図１４を参照して、ＳＲ変換表１５１Ａの例を説明する。ＳＲ変換表１５１Ａのエントリには、各転送ノード１２０について、転送ノード名と、当該転送ノードの入力インタフェースと、ＳＤＮ処理ノードインタフェース識別子情報と、ＳＲ符号列との組が記録される。
【００７２】
ＳＲ変換表作成部１５３Ａは、トポロジＤＢ１５２及びＳＤＮ処理ノードインタフェース識別子情報ＤＢ１５５に基づき、上述のＳＲ変換表１５１Ａを作成する。ＳＲ変換表作成部１５３ＡによるＳＲ変換表１５１Ａの作成については、後に図１６を参照して説明する。
【００７３】
図１５を参照して、ＳＤＮ処理ノードインタフェース識別子情報ＤＢ１５５の例を説明する。ＳＤＮ処理ノードインタフェース識別子情報ＤＢ１５５のエントリには、ＳＤＮ処理ノードと、当該ＳＤＮ処理ノードのインタフェースと、当該ＳＤＮ処理ノードのインタフェース識別子情報との組が記録される。ＳＤＮ処理ノードインタフェース識別子情報ＤＢ１５５も、トポロジＤＢ１５２と同様に、例えば通信システム１の管理者によって作成（登録）されてよい。
【００７４】
次に、図１６及び図１７を参照して、第２実施形態における通信システム１の動作の例を説明する。
【００７５】
図１６は、制御装置１５０Ａによって実行される処理の例を示すフローチャートである。この例では、２つよりも多いＳＤＮ処理ノード１１０間をＳＲトランスポートネットワークによって接続する場合の、ＳＲ変換表作成部１５３ＡによるＳＲ変換表１５１Ａの作成手順が説明される。
【００７６】
ステップＦ２１では、オペレータから、ＳＲトランスポートネットワーク（ＳＤＮ１４０）で接続する複数のＳＤＮ処理ノード１１０が、制御装置１５０Ａに指定される。
【００７７】
ステップＦ２２では、ＳＲ変換表作成部１５３Ａが、トポロジＤＢ１５２及びＳＤＮ処理ノードインタフェース識別子情報ＤＢ１５５を用いて、先のステップＦ１１で指定された複数のＳＤＮ処理ノード１１０間の全ての２ノード間の経路となるインタフェースの列を計算する。
【００７８】
ステップＦ２３では、ＳＲ変換表作成部１５３Ａが、先のステップＦ２２で計算したインタフェースの列を、ＳＲ符号列に置き換える。
【００７９】
ステップＦ２４では、ＳＲ変換表作成部１５３Ａが、ステップＦ２１で指定されたＳＤＮ処理ノード間の全ての２ノード間の経路の各送信元となるＳＤＮ処理ノード１１０に接続される転送ノード１２０のそれぞれに関する入力インタフェースと、宛先ＳＤＮ処理ノードのインタフェース識別子情報と、ＳＲ符号列との対応関係をＳＲ変換表１５１Ａに記録する。これにより、ＳＲ変換表１５１Ａが作成される。
【００８０】
ステップＦ２５では、各ＳＤＮ処理ノード１１０と接続する転送ノード１２０に、ＳＲ変換表１５１Ａに記録された情報を送信する。これにより、転送ノード１２０Ａは、ＳＲ変換表１２１Ａを有することができる。すなわち、転送ノード１２０Ａは、ＳＲ変換表作成部１５３Ａによって作成されたＳＲ変換表を用いてＳＲ符号列の付与を行うことができる。
【００８１】
図１７は、図１６を参照して説明したような処理によって作成されたＳＲ変換表を用いて通信システム１において転送されるパケットデータ及びパケットデータに格納される情報の例を示す図である。
【００８２】
図１７に示される例では、パケットデータは、ＳＤＮ処理ノード１１０−１−１と、転送ノード１２０−１のＳＲ変換処理部１２２及びＳＲ転送処理部１２３と、ＳＲトランスポート装置１３０−３と、ＳＲトランスポート装置１３０−５と、ＳＲトランスポート装置１３０―４と、転送ノード１２０−２のＳＲ変換処理部１２２及びＳＲ転送処理部１２３と、ＳＤＮ処理ノード１１０−２−２とを、この順に通過する経路を通る。
【００８３】
ＳＤＮ処理ノード１１０−１−１と、転送ノード１２０−１のＳＲ変換処理部１２２との間の区間におけるパケットデータが、パケットＰ２−１として示される。パケットＰ２−１は、ヘッダ及びデータを含む。転送ノード１２０−１のＳＲ変換処理部１２２では、ＳＲ変換表１２１Ａ（図１２）を基に、入力インタフェースが「ＶＩＦ１−３」であり、かつ、パケット２−１に記載されたＳＤＮ処理ノードインタフェース識別子情報が「ＭＡＣ２０２」であることから、ＳＲ符号列「ＶＩＦ１−５、ＩＦ３−３、ＩＦ５−２、ＩＦ４−１、ＶＩＦ２−４」をパケットデータに付与する。このように付与されたＳＲ符号列に基づいて、パケットデータが転送される。
【００８４】
転送ノード１２０−１以降のパケットデータの転送手順（転送に関するステップ）については、先に図１０を参照して説明した手順と同様である。すなわち、パケットデータが、転送ノード１２０−１のＳＲ変換処理部１２２から転送ノード１２０−２−のＳＲ変換処理部１２２まで転送される間、パケットデータに格納される情報は、図１７に示されるようにパケットＰ２−２、Ｐ２−３、Ｐ２−４、Ｐ２−５及びＰ２−６に変化する。最終的に、転送ノード１２０−２のＳＲ変換処理部１２２がＳＲ符号「ＶＩＦ２−４」を取り去るので、パケットデータは、パケット２−１に戻る。
【００８５】
以上説明した第２実施形態に係る通信システム１は、外部からパケットデータを受信し、また、パケットデータを外部へ送信する複数の（２つよりも多い）ＳＤＮ処理ノード１１０と、複数の処理ノードの間に設けられ、複数の処理ノードのうちの第１のＳＤＮ処理ノード１１０（例えばＳＤＮ処理ノード１１０−１−１）が受信したパケットデータを、当該パケットデータに付与されているＳＲ符号列に基づいてルーティングする、少なくとも１つのＳＲトランスポート装置１３０と、複数のＳＤＮ処理ノード１１０と少なくとも１つのＳＲトランスポート装置１３０との間に設けられ、第１のＳＤＮ処理ノード１１０が受信したパケットデータが少なくとも１つのＳＲトランスポート装置１３０を介して複数のＳＤＮ処理ノード１１０のうちの第２のＳＤＮ処理ノード１１０（例えばＳＤＮ処理ノード１１０−２−２）に転送されるように、当該パケットデータにＳＲ符号列を付与する転送ノード１２０（例えば転送ノード１２０−１）と、を備える。第１のＳＤＮ処理ノード１１０が受信するパケットデータのヘッダは、複数のＳＤＮ処理ノード１１０のうちの宛先の処理ノードを識別するためのＳＤＮ処理ノードインタフェース識別子情報（例えばＭＡＣアドレス）を含む。転送ノード１２０は、ＳＤＮ処理ノードインタフェース識別子情報よって識別されるＳＤＮ処理ノード１１０を第２のＳＤＮ処理ノード１１０として、ＳＲ符号列を付与する。
【００８６】
上記の通信システム１でも、転送ノード１２０とは別に設けられた要素である転送ノード１２０（例えば転送ノード１２０−１）が、第１のＳＤＮ処理ノード１１０（例えばＳＤＮ処理ノード１１０−１−１）から第２のＳＤＮ処理ノード１１０（例えばＳＤＮ処理ノード１１０−２−２）にパケットデータが転送されるように、当該パケットデータにＳＲ符号列を付与する。したがって、ネットワーク構成が各処理ノードから隠蔽された状態でも、ＳＲ符号列をパケットデータに付与することができる。
【００８７】
通信システム１では、制御装置１５０ＡのＳＲ変換表作成部１５３Ａが、複数の（２つよりも多い）ＳＤＮ処理ノード１１０及び少なくとも１つのＳＲトランスポート装置１３０のトポロジに基づき、複数のＳＤＮ処理ノード１１０のそれぞれを識別するためのＳＤＮ処理ノードインタフェース識別子情報ごとに、第１のＳＤＮ処理ノード１１０（例えばＳＤＮ処理ノード１１０−１−１）から第２のＳＤＮ処理ノード１１０（ＳＤＮ処理ノード１１０−２−２）へパケットデータを転送するためのＳＲ符号列を記載したＳＲ変換表１５１を作成してもよい。転送ノード１２０（例えば転送ノード１２０−１）は、制御装置１５０ＡのＳＲ変換表作成部１５３Ａが作成したＳＲ変換表を用いて（制御装置１５０Ａから送られる情報に基づいて得られたＳＲ変換表１２１Ａを用いて）、ＳＲ符号列を付与してもよい。このように制御装置１５０Ａが作成したＳＲ変換表を利用することによって、転送ノード１２０においては、ＳＤＮ１４０のネットワーク構成の管理を行わずに、ＳＲ符号列をパケットデータに付与することができる。
【００８８】
また、上記の通信システム１によって実行される制御方法では、転送ノード１２０（例えば転送ノード１２０−１）が、複数の（２つよりも多い）処理ノード１１０のうちの第１のＳＤＮ処理ノード１１０（例えばＳＤＮ処理ノード１１０−１−１）が受信したパケットデータが少なくとも１つのＳＲトランスポート装置１３０を介して複数の処理ノード１１０のうちの第２のＳＤＮ処理ノード１１０（例えばＳＤＮ処理ノード１１０−２−２）に転送されるように、当該パケットデータにＳＲ符号列を付与する（例えば図１７のパケットＰ２−２に関するステップ）。そして、少なくとも１つのＳＲトランスポート装置１３０が、第１のＳＤＮ処理ノード１１０が受信したパケットデータを、上述のようにパケットデータに付与されたＳＲ符号列に基づいてルーティングする（例えば図１７のパケットＰ２−４、Ｐ２−５及びＰ２−６に関するステップ）。このような制御方法によっても、ネットワーク構成が各ＳＤＮ処理ノード１１０から隠蔽された状態で、ＳＲ符号列をパケットデータに付与することができる。
【００８９】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００９０】
例えば、本発明の一実施の形態におけるＳＤＮ処理ノード１１０、転送ノード１２０、１２０Ａ、ＳＲトランスポート装置１３０、制御装置１５０、１５０Ａなどは、本実施形態のＳＤＮ処理ノード１１０、転送ノード１２０、１２０Ａ、ＳＲトランスポート装置１３０、制御装置１５０、１５０Ａの処理を行うコンピュータとして機能してもよい。図１８は、本実施形態に係るＳＤＮ処理ノード１１０、転送ノード１２０、１２０Ａ、ＳＲトランスポート装置１３０、制御装置１５０、１５０Ａのハードウェア構成の一例を示す図である。上述の本実施形態に係る通信システム１１０、転送ノード１２０、１２０Ａ、ＳＲトランスポート装置１３０、制御装置１５０、１５０Ａ（以下、転送ノード１２０等という）は、物理的には、プロセッサ１００１、メモリ１００２、ストレージ１００３、通信装置１００４、入力装置１００５、出力装置１００６、バス１００７などを含むコンピュータ装置として構成されてもよい。
【００９１】
なお、以下の説明では、「装置」という文言は、回路、デバイス、ユニットなどに読み替えることができる。転送ノード１２０等のハードウェア構成は、図に示した各装置を１つ又は複数含むように構成されてもよいし、一部の装置を含まずに構成されてもよい。
【００９２】
転送ノード１２０等における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００９３】
プロセッサ１００１は、例えば、オペレーティングシステムを動作させてコンピュータ全体を制御する。プロセッサ１００１は、周辺装置とのインタフェース、制御装置、演算装置、レジスタなどを含む中央処理装置（ＣＰＵ：Central  Processing  Unit）で構成されてもよい。例えば、上述の転送ノード１２０のＳＲ変換処理部１２２、ＳＲ転送処理部１２３などは、プロセッサ１００１で実現されてもよい。
【００９４】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、転送ノード１２０のＳＲ変換処理部１２２、ＳＲ転送処理部１２３などは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９５】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００９６】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の転送ノード１２０の制御通信部１２４などは、通信装置１００４で実現されてもよい。
【００９８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９９】
また、プロセッサ１００１、メモリ１００２などの各装置は、情報を通信するためのバス１００７で接続される。バス１００７は、単一のバスで構成されてもよいし、装置間で異なるバスで構成されてもよい。
【０１００】
また、転送ノード１２０等は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０１】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【０１０２】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１０３】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１０４】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１０５】
入出力された情報等は特定の場所(例えば、メモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【０１０６】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０８】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１０９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１１０】
なお、本明細書で説明した用語及び／又は本明細書の理解に必要な用語については、同一の又は類似する意味を有する用語と置き換えてもよい。
【０１１１】
本明細書で使用する「システム」及び「ネットワーク」という用語は、互換的に使用される。
【０１１２】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１１３】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１１４】
本明細書で使用する「決定(determining)」という用語は、多種多様な動作を包含する場合がある。「決定」は、例えば、「判断(judging)」、計算(calculating)、算出(computing)、処理(processing)、導出(deriving)、調査(investigating)、探索(looking up)（例えば、テーブル、データベース又は別のデータ構造での探索）、確認(ascertaining)した事を「決定」したとみなす事などを含み得る。また、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「決定」したとみなす事などを含み得る。また、「決定」は、解決(resolving)、選択(selecting)、選定(choosing)、確立(establishing)、比較(comparing)などした事を「決定」したとみなす事を含み得る。つまり、「決定」は、何らかの動作を「決定」したとみなす事を含み得る。
【０１１５】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１１６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１７】
本明細書で「第１の」、「第２の」などの呼称を使用した場合においては、その要素へのいかなる参照も、それらの要素の量又は順序を全般的に限定するものではない。これらの呼称は、２つ以上の要素間を区別する便利な方法として本明細書で使用され得る。したがって、第１及び第２の要素への参照は、２つの要素のみがそこで採用され得ること、又は何らかの形で第１の要素が第２の要素に先行しなければならないことを意味しない。
【０１１８】
「含む（include）」、「含んでいる（including）」、及びそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「又は（or）」は、排他的論理和ではないことが意図される。
【０１１９】
本明細書において、文脈又は技術的に明らかに1つのみしか存在しない装置である場合以外は、複数の装置をも含むものとする。
【０１２０】
本開示の全体において、文脈から明らかに単数を示したものではなければ、複数のものを含むものとする。
【符号の説明】
【０１２１】
１…通信システム、１１０…ＳＤＮ処理ノード、１１１…ＳＤＮ転送処理部、１１２…インタフェース、１２０、１２０Ａ…転送ノード、１２１、１２１Ａ…ＳＲ変換表、１２２…ＳＲ変換処理部、１２３…ＳＲ転送処理部、１２４…制御通信部、１２５…インタフェース、１３０…ＳＲトランスポート装置、１３１…ＳＲ転送処理部、１３２…インタフェース、１４０…ＳＤＮ、１５０、１５０Ａ…制御装置、１５１、１５１Ａ…ＳＲ変換表、１５２…トポロジＤＢ、１５３、１５３Ａ…ＳＲ変換表作成部、１５４…制御通信部、１５５…ＳＤＮ処理ノードインタフェース識別子情報ＤＢ。
【図１】
2019044035.tif 000003
【図２】
2019044035.tif 000004
【図３】
2019044035.tif 000005
【図４】
2019044035.tif 000006
【図５】
2019044035.tif 000007
【図６】
2019044035.tif 000008
【図７】
2019044035.tif 000009
【図８】
2019044035.tif 000010
【図９】
2019044035.tif 000011
【図１０】
2019044035.tif 000012
【図１１】
2019044035.tif 000013
【図１２】
2019044035.tif 000014
【図１３】
2019044035.tif 000015
【図１４】
2019044035.tif 000016
【図１５】
2019044035.tif 000017
【図１６】
2019044035.tif 000018
【図１７】
2019044035.tif 000019
【図１８】
2019044035.tif 000020
【国際調査報告】
2019044035.tif 000021
2019044035.tif 000022
2019044035.tif 000023